【手続補正書】
【提出日】平成19年3月16日(2007.3.16)
【手続補正１】
【補正対象書類名】特許請求の範囲
【補正対象項目名】全文
【補正方法】変更
【補正の内容】
【特許請求の範囲】
【請求項１】
通信ヘッドセットであって、
スピーカードライバを具備するハウジングと、
前記ハウジングに連結され、耳道内に挿入するためのノズルと、
前記ノズルに連結された防音イヤピースであって、前記イヤピースおよび前記ハウジングは、可聴音の範囲にわたって周囲音から少なくとも１５ｄＢ防音するイヤピースと、
マイクロホンと、
を具備する通信ヘッドセット。
【請求項２】
前記イヤピースは、可聴音の範囲にわたって周囲音から１５〜２５ｄＢ防音する請求項１記載の通信ヘッドセット。
【請求項３】
前記イヤピースは、開口、および、耳道に摩擦によって係合するように適合された可撓性のある材料を有する請求項１記載の通信ヘッドセット。
【請求項４】
前記開口は円筒形の剛性チューブを具備し、前記可撓性のある材料は、前記チューブを取り囲む圧縮性発泡体を具備する請求項３記載の通信ヘッドセット。
【請求項５】
前記可撓性のある材料はプラスチックである請求項３記載の通信ヘッドセット。
【請求項６】
前記可撓性のある材料はシリコーンである請求項３記載の通信ヘッドセット。
【請求項７】
前記ハウジングから延在するブームアセンブリをさらに具備し、前記マイクロホンは前記ブームアセンブリに連結される請求項３記載の通信ヘッドセット。
【請求項８】
前記ブームアセンブリは、剛性ブームガイドおよび可撓性のあるブームを具備する請求項７記載の通信ヘッドセット。
【請求項９】
前記ブームアセンブリの長手方向は第１の軸を画成し、前記ノズルの長手方向は第２の軸を画成し、前記第１および第２の軸は交差して、第１の平面に角度を画成する請求項７記載の通信ヘッドセット。
【請求項１０】
第１の角度は約７７度から９７度の間である請求項９記載の通信ヘッドセット。
【請求項１１】
前記第１の角度は約８７度である請求項９記載の通信ヘッドセット。
【請求項１２】
前記ハウジングは、前記第１の平面に直交する第２の平面でユーザの耳に係合する請求項９記載の通信ヘッドセット。
【請求項１３】
前記通信ヘッドセットは、ユーザの左耳またはユーザの右耳のいずれかで使用されるように、対称的である請求項１２記載の通信ヘッドセット。
【請求項１４】
前記第２の平面および前記第２の軸は、約２３度から約４３度の間である第２の角度を画成する請求項１２記載の通信ヘッドセット。
【請求項１５】
前記第２の角度は約３３度である請求項１４記載の通信ヘッドセット。
【請求項１６】
前記ハウジングから延在し第３の軸を画成するケーブルをさらに具備し、前記第１の軸、前記第２の軸および前記第３の軸は同一平面にある請求項９記載の通信ヘッドセット。
【請求項１７】
可撓性のあるイヤサポートをさらに具備する請求項１記載の通信ヘッドセット。
【請求項１８】
前記イヤピースは単に、前記通信ヘッドセットをユーザに支持するだけである請求項３記載の通信ヘッドセット。
【請求項１９】
前記ハウジングから延在するケーブルをさらに具備し、前記ケーブルは前記スピーカードライバへ入力信号を提供し、前記マイクロホンから出力信号を提供する請求項１記載の通信ヘッドセット。
【請求項２０】
前記マイクロホンは前記ケーブルに連結される請求項１９記載の通信ヘッドセット。
【請求項２１】
前記ケーブルは前記イヤピースに共働して、前記通信ヘッドセットをユーザに支持する請求項１９記載の通信ヘッドセット。
【請求項２２】
前記マイクロホンは指向性である請求項１記載の通信ヘッドセット。
【請求項２３】
前記マイクロホンは、カージオイドマイクロホン、双方向性マイクロホン、および、ハイパーカージオイドマイクロホンからなる群から選択される請求項２２記載の通信ヘッドセット。
【請求項２４】
少なくともいくらかの周囲音が、ドライバへ電子的に伝達される請求項１記載の通信ヘッドセット。
【請求項２５】
前記マイクロホンは、前記ドライバ信号から防音され、それによって遠端の話者へのエコーを減少する請求項１記載の通信ヘッドセット。
【請求項２６】
前記可撓性のある材料は、星、インゲン豆、三角形、星形、プロペラおよび文字Ｃからなる群からの形状に形成される請求項３記載の通信ヘッドセット。
【請求項２７】
前記イヤピースは、複数の開口、および、耳道に摩擦によって係合するように適合された可撓性のある材料を具備する請求項１記載の通信ヘッドセット。
【請求項２８】
通信ヘッドセットであって、
長手方向に第１の軸を画成するブームガイドと、
耳道内に挿入するためのノズルであって、その長手方向に第２の軸を画成し、前記第１の軸から傾斜して延在するノズルと、
スピーカードライバを具備するハウジングであって、前記ノズルは前記ハウジングに連結され、前記ハウジングはその長手方向に第３の軸を画成し、前記第１の軸および前記第２の軸は前記第３の軸から傾斜して延在するハウジングと、
前記ノズルに連結された防音イヤピースと、
前記ブームガイドから延在するブームと、
前記ブームに連結された指向性マイクロホンと、
を具備する通信ヘッドセット。
【請求項２９】
前記ハウジングから前記第３の軸の方向に延在するケーブルをさらに具備し、前記ケーブルは前記スピーカードライバへ入力信号を提供し、前記マイクロホンから出力信号を提供する請求項２８記載の通信ヘッドセット。
【請求項３０】
前記ブームは剛性である請求項２８記載の通信ヘッドセット。
【請求項３１】
前記ブームの一部は剛性であり、前記ブームの一部は可撓性である請求項３０記載の通信ヘッドセット。
【請求項３２】
前記第１の軸および前記第２の軸は第１の平面を画成し、前記第１の軸および前記第２の軸は交差して、前記第１の平面に第１の角度を画成する請求項２８記載の通信ヘッドセット。
【請求項３３】
前記第１の角度は約７７度から９７度である請求項３２記載の通信ヘッドセット。
【請求項３４】
前記第１の角度は約８７度である請求項３２記載の通信ヘッドセット。
【請求項３５】
前記ハウジングは、前記第１の平面に直交する第２の平面でユーザの耳に係合する請求項３２記載の通信ヘッドセット。
【請求項３６】
前記通信ヘッドセットは、ユーザの左耳またはユーザの右耳のいずれかで使用されるように、対称的である請求項３５記載の通信ヘッドセット。
【請求項３７】
前記第２の平面および前記第２の軸は、約２３度から約４３度の間である第２の角度を画成する請求項３５記載の通信ヘッドセット。
【請求項３８】
前記第２の角度は約３３度である請求項３７記載の通信ヘッドセット。
【請求項３９】
前記ハウジングから延在し第３の軸を画成するケーブルをさらに具備し、前記第１の軸、前記第２の軸および前記第３の軸は同一平面にある請求項２８記載の通信ヘッドセット。
【請求項４０】
前記イヤピースは、開口、および、耳道に摩擦によって係合するように適合された可撓性のある材料を具備する請求項２８記載の通信ヘッドセット。
【請求項４１】
前記可撓性のある材料はプラスチックである請求項４０記載の通信ヘッドセット。
【請求項４２】
前記可撓性のある材料はシリコーンである請求項４０記載の通信ヘッドセット。
【請求項４３】
前記開口は円筒形の剛性チューブを具備し、前記可撓性のある材料は、前記チューブを取り囲む圧縮性発泡体を具備する請求項４０記載の通信ヘッドセット。
【請求項４４】
前記イヤピースおよび前記ハウジングは、可聴音の範囲にわたって周囲音から少なくとも１５ｄＢ防音する請求項２８記載の通信ヘッドセット。
【請求項４５】
前記イヤピースは、可聴音の範囲にわたって周囲音から１５〜２５ｄＢの範囲防音する請求項４４記載の通信ヘッドセット。
【請求項４６】
可撓性のあるイヤサポートをさらに具備する請求項２８記載の通信ヘッドセット。
【請求項４７】
前記イヤピースは単に、前記通信ヘッドセットをユーザに支持するだけである請求項２８記載の通信ヘッドセット。
【請求項４８】
少なくともいくらかの周囲音が、ドライバへ電子的に伝達される請求項２８記載の通信ヘッドセット。
【請求項４９】
前記マイクロホンは、前記ドライバ信号から防音され、それによって遠端の話者へのエコーを減少する請求項２８記載の通信ヘッドセット。
【請求項５０】
通信ヘッドセットであって、
第１のスピーカードライバを具備する、第１の耳用の第１のハウジングと、
第２のスピーカードライバを具備する、第２の耳用の第２のハウジングと、
前記第１のハウジングに連結され、第１の耳道内に挿入するための第１のノズルと、
前記第２のハウジングに連結され、第２の耳道内に挿入するための第２のノズルと、
前記第１のノズルに連結された防音の第１のイヤピースであって、前記第１のイヤピースおよび前記ハウジングは、可聴音の範囲にわたって周囲音から少なくとも１５ｄＢ防音する第１のイヤピースと、
前記第２のノズルに連結された防音の第２のイヤピースであって、前記第２のイヤピースおよび前記第２のハウジングは、可聴音の範囲にわたって周囲音から少なくとも１５ｄＢ防音する第２のイヤピースと、
マイクロホンと、
を具備する通信ヘッドセット。
【請求項５１】
第１の信号を前記第１のスピーカードライバに操作し第２の信号を前記第２のスピーカードライバに操作して、音が他方の方向からよりも一方の方向から来る感覚を形成するための側性化手段をさらに具備する請求項５０記載の通信ヘッドセット。
【請求項５２】
前記側性化手段は、レベル差の操作をするステップと、位相差の操作をするステップと、両耳間の時間差の操作をするステップと、の少なくとも１つを含む請求項５１記載の通信ヘッドセット。